【事件の表示】
　特許第３２２５９３７号「弾性表面波フィルタ並びにデュアルモードフィルタ、信号処理方法」の請求項１ないし６に係る特許に対する特許異議の申立てについて、次のとおり決定する。
【結　論】
　特許第３２２５９３７号の請求項１ないし６に係る特許を維持する。
【理　由】
１．本件発明
　特許第３２２５９３７号（平成１０年１１月２５日出願、平成１３年８月３１日設定登録）の請求項１ないし６に係る発明は、それぞれ、その特許請求の範囲の請求項１ないし６に記載された事項により特定されるとおりのものである。
　
２．申立ての理由の概要
　申立人遠藤昭子は、証拠として甲第１号証（特開平９−２５２２３２号公報）、甲第２号証（特開平９−１８１５６５号公報）、甲第３号証（特開平７−６６６７９号公報）を提出し、請求項１〜６に係る発明の特許は特許法第２９条第２項の規定に違反してなされたものであるから、請求項１ないし６に係る発明の特許を取り消すべき旨主張している。
　
３．申立人が提出した甲各号証の記載
３−１．甲第１号証（特開平９−２５２２３２号公報）
　甲第１号証には以下のようなことが記載されている。
　「【発明の属する技術分野】本発明は、複数のＳＡＷフィルタを組み合わせてなる弾性表面波装置に関し、例えば、２以上の周波数帯域を有する移動体通信機等に用いられる弾性表面波装置に関する。」（段落番号【０００１】）、
　「図５（ｂ）と、図１０（ｂ）とを比較すると、図１０（ｂ）では、一端子対ＳＡＷ共振子２６により、８１８ＭＨｚにおけるインピーダンスが高められていることがわかる。また、図１０（ａ）を図５（ａ）と比較すると、図１０（ａ）では、第１のＳＡＷフィルタ２２の通過帯域における挿入損失の劣化が抑制されており、通過帯域よりも高周波数側における減衰量が高められていることがわかる。」（段落番号【００３９】）、
　「図１９は、本発明の第２の実施形態に係る弾性表面波フィルタ装置の模式的平面図である。図１９において、３６°Ｙ−Ｘ　ＬｉＴａＯ3 からなる圧電基板３１上に、第１のＳＡＷフィルタとして多電極型縦結合ＳＡＷ共振子フィルタ３２が構成されている。すなわち、ＳＡＷ共振子フィルタ３２は、３個のＩＤＴ３３〜３５を有する。ＩＤＴ３３〜３５は、表面波伝搬方向に沿って交互に入力側ＩＤＴまたは出力側ＩＤＴとされている。各ＩＤＴ３３，３４，３５は互いに間挿し合う電極指を有する一対のくし歯電極により構成されている。ＩＤＴ３３〜３５が設けられている領域の表面波伝搬方向外側には、反射器３６，３７が配置されている。」（段落番号【００４８】）、
　「ＳＡＷ共振子フィルタ３２の出力側には、一端子対ＳＡＷ共振子３８が設けられている。一端子対ＳＡＷ共振子３８は、その反共振周波数が、ＳＡＷ共振子フィルタ３２の通過帯域よりも高周波数側となるようにＩＤＴ３３，３５の出力端子を構成しているくし歯電極に直列に接続されている。」（段落番号【００５１】）、
　「図２６は、図２４に示した弾性表面波素子５１を発展させて、第２のＳＡＷフィルタについても同一の圧電基板上に構成した例を示す略図的平面図である。図２６において、図２４に示した弾性表面波素子５１と同一の部分については、同一の参照番号を付する。
　図２６を参照して、圧電基板８０上において、接続電極６４に、第２のＳＡＷフィルタ８１が接続されている。第２のＳＡＷフィルタ８１は、圧電基板８０上に、すなわち第１のＳＡＷフィルタとしてのＳＡＷ共振子フィルタ５３と同一基板上に形成されている。
　第２のＳＡＷフィルタ８１は、３個のＩＤＴ８２〜８４を有する。ＩＤＴ８２〜８４の設けられている領域の表面波伝搬方向両側には、反射器８５，８６が形成されている。第２のＳＡＷフィルタ８１の中央のＩＤＴ８３の一方のくし歯電極が上述した接続電極６４に接続されており、他方のくし歯電極が接地用引き出し電極８７ａに接続されている。また、外側のＩＤＴ８２，８４の一方のくし歯電極は、入力用引き出し電極８７ｂに接続されており、他方のくし歯電極は接地用引き出し電極８７ｃ，８７ｄに接続されている。」（段落番号【００７２】〜【００７４】）。
３−２．甲第２号証（特開平９−１８１５６５号公報）
　甲第２号証には以下のようなことが記載されている。
　「本発明はこのような問題に対処するためになされたもので、送受信用フィルタが同一圧電性基板上に形成され、入出力パッドや端子が共通化された場合においても通過帯域内挿入損失が単体時と実質的に同等となる弾性表面波フィルタ装置を提供することを目的とする。」（段落番号【０００８】）、
　「【発明の実施の形態】　本発明の弾性表面波フィルタの一実施例を図１に示す。図１において、フィルタＡは送信用、フィルタＢは受信用、Ｃは共振子を用いたノッチフィルタを示す。フィルタＡのパッド１ａとフィルタＢのパッド１ｂは同一入力信号端子に接続され、パッド４、５、６、７、８、９は GNDに接続されている。また、共振子ＣはフィルタＡの出力信号端子２に直列に接続されている。パッド１ａに電気信号が入力されると、 IDT１２ａによって弾性表面波が発生し IDT１１ａ、 IDT１３ａによって再び電気信号に変換されさらに接続された共振子Ｃを通りパッド１０を介して出力信号端子へ出力される。このフィルタＡの出力側に直列接続された共振子Ｃがノッチフィルタとして働いている。この直列に接続した共振子の周波数特性図を図２に示す。図２において、上記共振子がフィルタＡの高周波数側に反共振点をもち、なおかつ同反共振点がフィルタＢの通過帯域に設定されている。また、共振子と結合した結果得られた特性を図３ａ、図３ｂに示す。図３ａにおいて、共振子を直列接続した為フィルタＡのフィルタＢ側の通過帯域周波数帯での減衰量が約 10dB 程度増加することによりインピーダンスを高くすることができた。」（段落番号【００１４】）、
　「また、本発明において、共振子ＣをフィルタＡの入力側に直列接続した実施例を図４に示す。共振子Ｃのパッド１ｃとフィルタＢのパッド１ｂは同一入力信号端子に接続され、パッド４、５、６、７、８、９は GNDに接続されている。また、共振子ＣはフィルタＡの入力信号端子パッド１ａに直列に接続されている。よって、入力信号は共振子Ｃを介し、フィルタＡを通して出力信号端子へ出力される。このフィルタＡの入力側に直列接続された共振子Ｃがノッチフィルタとして働いている。なお、本構成では直列共振子により 3IDT 1 段側において入力に耐電力性面で有利となる。」（段落番号【００１６】）。
３−３．甲第３号証（特開平７−６６６７９号公報）
　甲第３号証には、以下のようなことが記載されている。
　「【請求項１】　通過帯域周波数の相対的に低い第１のバンドパスフィルタと、通過帯域周波数の相対的に高い第２のフィルタとを接続してなり、少なくとも第１のバンドパスフィルタがＳＡＷフィルタにより構成されている分波器において、
　前記ＳＡＷフィルタが２ポート型ＳＡＷ共振子フィルタまたは多電極型ＳＡＷフィルタからなり、かつ該ＳＡＷフィルタに、反共振周波数が相手方のフィルタの通過帯域内または第１，第２のフィルタの通過帯域間に位置する少なくとも１個の１ポート型ＳＡＷ共振器を直列に接続してなることを特徴とする分波器。」（請求項１の記載）、
　「また、送信用及び受信用の２個のバンドパスフィルタを結合して分波器を構成した場合、それぞれのバンドパスフィルタの通過帯域外インピーダンスは、相手型のバンドパスフィルタの通過帯域内においては開放付近になっていければならない。しかしながら、ＳＡＷフィルタ１，８，１１では、一般にインピーダンスは容量性である。従って、そのインピーダンスを開放に近づけるには、位相を整合させるための外付け回路として、図４に示すように送信用フィルタ２０及び受信用フィルタ２１に、それぞれ、位相整合回路としての伝送線路２２，２３を外付けしなければならず、外部回路が複雑となり、かつサイズも大きくなるという問題があった。」（段落番号【０００９】）、
　「【作用】本発明では、ＳＡＷフィルタに、上記少なくとも１個の１ポート型ＳＡＷ共振器が接続されている。１ポート型ＳＡＷ共振器は、反共振周波数付近において非常に高いインピーダンスを示すが、この反共振周波数が、相手方のフィルタの通過帯域内または第１，第２のフィルタの通過帯域間に位置するように選択されている。従って、上記ＳＡＷフィルタの阻止帯域付近において１ポート型ＳＡＷ共振器が高いインピーダンスを示すため、阻止帯域における反射係数の位相を開放付近に合わせるとができる。よって、上記ＳＡＷフィルタについては、分波器を構成する際に、従来のような位相整合用の外部回路を接続する必要がないため、分波器における外部回路を少なくすることができる。」（段落番号【００１２】）、
　「ＳＡＷフィルタ３７のＩＤＴ３２，３４の一方のくし歯電極が共通接続されて、入力端３８とされる。また、ＩＤＴ３２，３４の他方のくし歯電極は接地電位に接続される。中央のＩＤＴ３３は、一方のくし歯電極が接地電位に接続され、他方のくし歯電極が、１ポート型ＳＡＷ共振器３９に接続されている。ＳＡＷ共振器３９は、互いに間挿し合う複数本の電極指を有する一対のくし歯電極により構成されており、一方のくし歯電極が上記ＩＤＴ３３に電気的に接続されており、他方のくし歯電極が出力端４０とされる。」（段落番号【００１７】）。
　
４．対比・判断
４−１．請求項１に係る発明について
　請求項１に係る発明と申立人が提出した甲各号証記載された事項とを対比すると、当該刊行物のいずれにも、
　「信号の入力が共通入力端子に接続され、複数の周波数帯を含む信号のいずれか１つを含む信号を選択して通過させる弾性表面波フィルタを周波数帯の数に応じて備え、前記弾性表面波フィルタの各々の入力が共通として並列に接続され、当該弾性表面波フィルタの各々のが個別に出力される構成を有する」「弾性表面波フィルタを用いた１入力多出力型のデュアルモードフィルタ」を構成する弾性表面波フィルタが、「入力が共通として並列に接続され」、「移動体通信端末機の無線周波数帯の電波を受信するフロントエンドに用いられる弾性表面波フィルタで」である点、及び「縦モード結合型共振器フィルタ及び当該縦モード結合型共振器フィルタの前段に直列に接続された１ポート弾性表面波共振子を備え」ている点は、記載されていない。
　したがって、本件請求項１記載の発明は、上記甲各号証に記載の事項から当業者が容易に推考しうるものではない。
４−２．請求項２、３に係る発明について
　請求項２、３に係る発明は、直接、間接に請求項１に係る発明を引用しているものであるから、上記請求項１に係る発明についての判断と同様の理由により、上記甲各号証に記載の事項から、当業者が容易に推考しうるものではない。
４−３．請求項４に係る発明について
　請求項４に係る発明と申立人が提出した甲各号証記載された事項とを対比すると、当該刊行物のいずれにも、
　「信号の入力が共通入力端子に接続され、２つの周波数帯を含む信号のいずれか一方を含む信号を選択して通過させる第１の前記弾性表面波フィルタと、信号の入力が前記共通入力端子に接続され、前記２つの周波数帯を含む信号のいずれか他方を含む信号を選択して通過させる第２の弾性表面波フィルタとを有し、前記第１の弾性表面波フィルタ及び前記第２の弾性表面波フィルタの各々の入力が共通として並列に接続され、当該第１の弾性表面波フィルタの出力を第１の出力とし、当該第２の弾性表面波フィルタの出力を第２の出力とする」「弾性表面波フィルタを用いた１入力２出力型のデュアルモードフィルタ」を構成する第１及び第２の弾性表面波フィルタが、「入力に共通に並列接続され」、「移動体通信端末機の無線周波数帯の電波を受信するフロントエンドに用いられる弾性表面波フィルタで」ある点、及び「縦モード結合型共振器フィルタ及び当該縦モード結合型共振器フィルタの前段に直列に接続された１ポート弾性表面波共振子を備え」ている点は、記載されていない。
　したがって、本件請求項４記載の発明は、上記甲各号証に記載の事項から当業者が容易に推考しうるものではない。
４−２．請求項５、６に係る発明について
　請求項５、６に係る発明は、直接、間接に請求項４に係る発明を引用しているものであるから、上記請求項４に係る発明についての判断と同様の理由により、上記甲各号証に記載の事項から、当業者が容易に推考しうるものではない。
　
　以上のとおり、請求項１ないし６に係る発明は、申立人が提出した甲各号証に記載された事項から当業者が用に発明をすることができたものではない。
　
５．むすび
　したがって、特許異議申立ての理由及び証拠によっては、本件請求項１ないし６に係る発明の特許を取り消すことはできない。
　また、他に本件請求項１ないし６に係る発明の特許を取り消すべき理由を発見しない。
　よって、結論のとおり決定する。
【異議決定日】
平成１４年１２月１９日（２００２．１２．１９）